(57)【特許請求の範囲】
【請求項１】
演奏者による演奏音を再生する主スピーカと、
該主スピーカで再生された音を収音するマイクと、
該マイクの収音信号の反射音信号を生成する反射音生成手段と、
該反射音生成手段で生成された反射音信号を再生する補助スピーカとを具備し、
前記マイクを、相対的に前記主スピーカから近く前記補助スピーカから遠い位置に配置し、かつ、前記補助スピーカで再生された音が前記マイクに音響帰還される電子楽器。
【請求項２】
前記主スピーカを演奏者に対面する方向に向けて配置し、前記補助スピーカを演奏者に対面しない方向に向けて配置してなる請求項１記載の電子楽器。
【請求項３】
前記電子楽器が電子鍵盤楽器であり、
前記主スピーカを、楽器筐体の前面に、その放音面を演奏者側に向けて配置し、前記補助スピーカを、楽器筐体の背面に、その放音面を演奏者と反対側に向けて配置してなる請求項２記載の電子楽器。
【請求項４】
前記電子楽器が電子鍵盤楽器であり、
前記主スピーカを、楽器筐体の前面に、その放音面を演奏者側に向けて配置し、前記補助スピーカを、楽器筐体の上面に、その放音面を上方に向けて配置してなる請求項２記載の電子楽器。
【請求項５】
前記マイクを、前記楽器筐体の前面の、前記主スピーカに隣接する位置に配置してなる請求項３または４記載の電子楽器。
【請求項６】
前記マイクを、前記主スピーカを構成する１または２以上のスピーカユニットのうちの少なくとも１つのスピーカユニットの中心からその口径の２倍の距離の範囲内に配置してなる請求項１から５のいずれかに記載の電子楽器。
【請求項７】
前記主スピーカがマルチウェイスピーカであり、前記マイクを、該マルチウェイスピーカを構成する複数のスピーカユニットに挟まれる位置に配置してなる請求項１から６のいずれかに記載の電子楽器。
【請求項８】
前記反射音生成手段で生成する前記反射音信号の初期遅延時間が５〜３０ｍｓｅｃである請求項１から７のいずれかに記載の電子楽器。
【請求項９】
前記反射音生成手段で生成する前記反射音信号の継続時間が３００〜６００ｍｓｅｃである請求項８記載の電子楽器。
【請求項１０】
前記反射音生成手段で生成する前記反射音信号の初期遅延時間が３０〜６０ｍｓｅｃである請求項１から７のいずれかに記載の電子楽器。
【請求項１１】
前記反射音生成手段で生成する前記反射音信号の継続時間が６００〜３０００ｍｓｅｃである請求項１０記載の電子楽器。
【請求項１２】
前記マイクと前記補助スピーカで構成される音響帰還系のループゲインが−６ｄＢ以下である請求項１から１１のいずれかに記載の電子楽器。
【請求項１３】
前記補助スピーカからテスト音を再生して前記音響帰還系のループゲインを計測し、該ループゲインが−６ｄＢ以下の所定値となるように、前記補助スピーカの再生系統の回路の周波数特性および音量ボリュームを自動調整する自動調整手段をさらに具備してなる請求項１から１２のいずれかに記載の電子楽器。
【請求項１４】
前記反射音生成手段が、初期遅延時間が５〜３０ｍｓｅｃで継続時間が３００〜６００ｍｓｅｃである反射音信号と、初期遅延時間が３０〜６０ｍｓｅｃで継続時間が６００〜３０００ｍｓｅｃである反射音信号を、演奏者の選択操作に応じて切換可能に生成する請求項１から７のいずれかに記載の電子楽器。
【発明の詳細な説明】
【０００１】
【発明の属する技術分野】
この発明は、電子鍵盤楽器等の電子楽器に関し、新規な構成の音響帰還系を有するものである。
【０００２】
【従来の技術】
従来の電子楽器の再生系統は、演奏音を左右２チャンネルのスピーカで再生するものが一般的であった。また、従来の電子楽器は、楽音に残響を付加して再生するものがあった。また、演奏音をマイクで収音し反射音を付加しスピーカで再生する音響帰還系を構成した従来の電子楽器として、特開平５−８８６７４号公報、特開平１０−２４７０８９号公報に記載のものがあった。
【０００３】
【発明が解決しようとする課題】
前記従来の電子楽器では、自然楽器に近い、楽音の奥行き感や厚み感が十分に得られなかった。また、楽音に残響を付加して再生するものでは、音の拡がり感が得られるが、自然楽器に近い、楽音の奥行き感や厚み感は得られなかった。また、前記従来の音響帰還系を構成した電子楽器は、音場の響き感は得られるが、演奏音を再生するスピーカと、マイク収音信号を再生するスピーカが共通であり、ハウリングを防止するためにスピーカとマイクを近接配置することができず、自然楽器に近い、楽音の奥行き感や厚み感を得るような設定をすることができなかった。
【０００４】
この発明は、上述の点に鑑みてなされたもので、例えば自然楽器に近い、楽音の奥行き感や厚み感を得るような設定をすることができる新規な構成の音響帰還系を有する電子楽器を提供しようとするものである。
【０００５】
【課題を解決するための手段】
この発明は、演奏者による演奏音を再生する主スピーカと、該主スピーカで再生された音を収音するマイクと、該マイクの収音信号の反射音信号を生成する反射音生成手段と、該反射音生成手段で生成された反射音信号を再生する補助スピーカとを具備し、前記マイクを、相対的に前記主スピーカから近く前記補助スピーカから遠い位置に配置し、かつ、前記補助スピーカで再生された音が前記マイクに音響帰還されるものである。これによれば、演奏者が演奏を行うと、その演奏音は主スピーカから再生され、該再生音は該主スピーカから相対的に近いマイクで収音され、該マイク収音信号に基づき反射音信号が生成されて、マイクから相対的に遠い補助スピーカから再生される。これによれば、マイクは主スピーカから相対的に近く補助スピーカから相対的に遠い位置に配置されているので、マイク収音信号は主スピーカの再生音（演奏音）のエネルギの割合が大きいものとなり、該マイク収音信号からその反射音信号を生成して補助スピーカから再生することにより、楽器自体（楽器筐体や響板等）が鳴っているような聴感印象を演奏者およびその近傍の聴衆に与えることができ、自然楽器に近い、楽音の奥行き感や厚み感を与えることができる。また、補助スピーカからマイクへの音響帰還量により、その効果を調整することができる。なお、マイクと主スピーカは音響帰還系を構成しないので、マイクと主スピーカ間ではハウリング制御は容易となり、楽器自体が鳴る効果を十分に発揮させることができる。さらに、マイクと補助スピーカで構成される音響帰還系のループゲインは比較的低くてよいので、ハウリングは発生しにくい。一方、演奏音の再生系統と楽器の鳴りを表現する再生系統が独立しているので、それぞれに相応しい信号処理を施すことができる。
【０００６】
この発明は、例えば、前記主スピーカを演奏者に対面する方向に向けて配置し、前記補助スピーカを演奏者に対面しない方向に向けて配置することができる。このような配置にすることにより、演奏音は明瞭に聞こえ、しかも、楽音の奥行き感や厚み感が良好に得られる。この発明の電子楽器を電子ピアノ等の鍵盤楽器として構成する場合は、前記主スピーカを、例えば、楽器筐体の前面に、その放音面を演奏者側に向けて配置し、前記補助スピーカを、楽器筐体の背面に、その放音面を演奏者と反対側に向けて配置し、または、楽器筐体の上面に、その放音面を上方に向けて配置する。この場合、前記マイクは、例えば、前記楽器筐体の前面の、前記主スピーカに隣接する位置に配置することができる。
【０００７】
この発明は、前記マイクを、例えば、前記主スピーカを構成する１または２以上のスピーカユニットのうちの少なくとも１つのスピーカユニットの中心からその口径の２倍の距離の範囲内に配置することができる。マイクをこのような配置にすることにより、周囲の環境音（靴音、ペダル音等）が雑音として入りにくくなり、補助スピーカから再生する音のＳ／Ｎを良好にすることができる。
【０００８】
この発明は、前記主スピーカがマルチウェイスピーカである場合に、前記マイクを、該マルチウェイスピーカを構成する複数のスピーカユニットに挟まれる位置に配置することができる。マイクをこのような配置にすることにより、周囲の環境音が雑音として入りにくくなり、補助スピーカから再生する音のＳ／Ｎを良好にすることができるとともに、各スピーカユニットから再生される音をマイクで比較的均等に収音することができる。
【０００９】
この発明は、前記反射音生成手段で生成する前記反射音信号の初期遅延時間を、例えば、５〜３０ｍｓｅｃ程度と比較的短く設定することにより、楽器筐体の鳴りを表現することができ、自然楽器に近い、楽音の奥行き感や厚み感が良好に得られる。また、この場合、前記反射音信号の継続時間を、例えば、３００〜６００ｍｓｅｃ程度と比較的短く設定することにより、自然楽器における楽器筐体の鳴りをより確実に表現することができ、自然楽器に近い、楽音の奥行き感や厚み感がより良好に得られる。
【００１０】
また、この発明の構成によれば、反射音信号の初期遅延時間を比較的長く設定した場合には、楽器筐体の鳴り（楽音の奥行き感や厚み感）よりも、むしろ音場の響き（つまり、音場の拡がり感）として感じられるようになる。反射音信号の継続時間を比較的長く設定した場合にも、音場の響きとして感じられるようになる。そこで、反射音信号の初期遅延時間や継続時間を比較的長く設定する（例えば、初期遅延時間を３０〜６０ｍｓｅｃ程度とし、継続時間を６００〜３０００ｍｓｅｃ程度とする。）ことにより、音場の響きを表現することができる。
【００１１】
この発明は、前記マイクと前記補助スピーカで構成される音響帰還系のループゲインを、例えば、−６ｄＢ以下に設定することができる。この程度のループゲインがあれば、自然楽器に近い、楽音の奥行き感や厚み感を得ることができ、しかも、ハウリングの発生を防止することができる。なお、音響帰還系のループゲインは、再生系統の系統数に応じて切り換えることができ、例えば、単一系統（モノラル）で−６ｄＢ以下、２系統（２チャンネルステレオ）で−９ｄＢ以下、４系統（４チャンネルステレオ）で−１２ｄＢ以下とすることができる。
【００１２】
この発明は、前記補助スピーカからテスト音を再生して前記音響帰還系のループゲインを計測し、該ループゲインが−６ｄＢ以下の所定値となるように、前記補助スピーカの再生系統の回路の周波数特性および音量ボリュームを自動調整する自動調整手段をさらに具備することができる。この場合も、音響帰還系のループゲインの目標値を、系統数に応じて、例えば、単一系統（モノラル）で−６ｄＢ以下の所定値、２系統（２チャンネルステレオ）で−９ｄＢ以下の所定値、４系統（４チャンネルステレオ）で−１２ｄＢ以下の所定値と切り換えることができる。
【００１３】
この発明は、前記反射音生成手段が、初期遅延時間が５〜３０ｍｓｅｃで継続時間が３００〜６００ｍｓｅｃである反射音信号と、初期遅延時間が３０〜６０ｍｓｅｃで継続時間が６００〜３０００ｍｓｅｃである反射音信号を、演奏者の選択操作に応じて切換可能に生成するものとすることができる。これによれば、初期遅延時間が５〜３０ｍｓｅｃで継続時間が３００〜６００ｍｓｅｃである前記反射音信号を選択した場合は自然楽器に近い、楽音の奥行き感や厚み感が得られ、初期遅延時間が３０〜６０ｍｓｅｃで継続時間が６００〜３０００ｍｓｅｃである反射音信号を選択した場合は音場の拡がり感が得られる。
【００１４】
【発明の実施の形態】
以下、この発明の実施の形態を説明する。ここでは、この発明を２系統（２チャンネルステレオ）構成の電子ピアノに適用した場合について説明する。図２は、この発明による電子ピアノにおける、スピーカとマイクの配置例を示す。電子ピアノ１０は、アップライトピアノを模した外形を有し、筐体１２と鍵盤１４を具備している。筐体１２内には、左チャンネル用の主スピーカ１６Ｌ、補助スピーカ１８Ｌ、マイク２０Ｌと、右チャンネル用の主スピーカ１６Ｒ、補助スピーカ１８Ｒ、マイク２０Ｒが、放音面あるいは収音面をそれぞれ外部に露出させて収容配置されている。主スピーカ１６Ｌ、１６Ｒは、筐体１２の前面１２ａの、鍵盤１４よりも上方位置の左右に、その放音面を演奏者側に露出させて配置されている。補助スピーカ１８Ｌ、１８Ｒは、筐体１２の背面１２ｂの、鍵盤１４よりも上方位置の左右に、その放音面を演奏者と反対側に露出させて配置されている。マイク２０Ｌ、２０Ｒは、筐体１２の前面１２ａの、鍵盤１４よりも上方位置の左右で、相対的に主スピーカ１６Ｌ、１６Ｒから近く補助スピーカ１８Ｌ、１８Ｒから遠い位置に、その収音面を演奏者側に露出させて配置されている。
【００１５】
筐体１２の前面１２ａの左側の部分の詳細構成を図４に示す。主スピーカ１６Ｌは、スピーカユニットとしてウーハ１６Ｌ−１とツイータ１６Ｌ−２を具備する２ウェイスピーカとして構成されている。ツイータ１６Ｌ−２の上方位置の筐体前面１２ａには、バスレフのポート２２Ｌが形成されている。マイク２０Ｌは、ウーハ１６Ｌ−１とツイータ１６Ｌ−２に挟まれた位置で、ウーハ１６Ｌ−１とツイータ１６Ｌ−２の近傍（例えば、各ユニットの中心からその口径の２倍の距離の範囲内）に配置されている。筐体１２の前面１２ａの右側の部分は、図４の構成と左右対称に構成されている。すなわち、図２に示されているように、主スピーカ１６Ｒは、スピーカユニットとしてウーハ１６Ｒ−１とツイータ１６Ｒ−２を具備する２ウェイスピーカとして構成されている。ツイータ１６Ｒ−２の上方位置の筐体前面１２ａには、バスレフのポート２２Ｒが形成されている。マイク２０Ｒは、ウーハ１６Ｒ−１とツイータ１６Ｒ−２に挟まれた位置で、ウーハ１６Ｒ−１とツイータ１６Ｒ−２の近傍（例えば、各ユニットの中心からその口径の２倍の距離の範囲内）に配置されている。なお、補助スピーカ１８Ｌ、１８Ｒは、図２（ｂ）に示されているように、例えば１ウェイスピーカでそれぞれ構成することができる。
【００１６】
図２の電子ピアノ１０に内蔵されている回路構成を図１に示す。ＭＩＤＩ情報発生部２４からは、ＭＩＤＩ情報で予め用意されている伴奏情報が順次読み出される。演奏操作部２６からは、演奏者による演奏（鍵盤操作）に応じた演奏情報が出力される。音源発生回路２８は、伴奏情報および演奏情報に応じた左右２チャンネル楽音信号を発生する。演奏情報に応じた左右２チャンネル楽音信号は、音の高さに応じて、図３に示すように、高音域ほど右チャンネルに多く割り当て、低音域ほど左チャンネルに多く割り当てる。これにより、実際のピアノの音の定位（高音域ほど右側から聞こえ、低音域ほど左側から聞こえる。）を模すことができる。
【００１７】
音源発生回路２８から発生された楽音信号は、パワーアンプ２９Ｌ、２９Ｒを介して、左右の主スピーカ１６Ｌ、１６Ｒから演奏者に向けてそれぞれ再生される。再生された楽音は、マイク２０Ｌ、２０Ｒでそれぞれ収音される。これら収音信号は、ヘッドアンプ３０Ｌ、３０Ｒ、アッテネータ３２Ｌ、３２Ｒ、イコライザ３４Ｌ、３４Ｒ、ＦＩＲ（非巡回型）フィルタ３６Ｌ、３６Ｒ、パワーアンプ３８Ｌ、３８Ｒを介して補助スピーカ１８Ｌ、１８Ｒから演奏者と反対側に向けてそれぞれ再生される。補助スピーカ１８Ｌ、１８Ｒから再生された楽音は、部屋の壁や天井で反射して、マイク２０Ｌ、２０Ｒに音響帰還される。
【００１８】
以上の構成によれば、主スピーカ１６Ｌ、１６Ｒから演奏音および伴奏音が演奏者の方向に向けて再生され、その再生音がマイク２０Ｌ、２０Ｒで収音され、ＦＩＲフィルタ３６Ｌ、３６Ｒで該収音信号の反射音が生成され、補助スピーカ１８Ｌ、１８Ｒから演奏者と反対方向再生される。補助スピーカ１８Ｌ、１８Ｒから再生される音により、楽器自体の鳴り（グランドピアノ等における楽器筐体や響板の鳴り）を表現することができる。アッテネータ３２Ｌ、３２Ｒは音響帰還系４０のゲイン（音量ボリューム）を調整するためのもので、自動および演奏者による手動操作で調整される。音響帰還系４０のゲインを調整することにより、自然楽器における楽器筐体の鳴りの程度を調整することができる。自然楽器における楽器筐体の鳴りを表現するために必要な音響帰還系４０のゲインは比較的低い値でよく、アッテネータ３２Ｌ、３２Ｒによる音響帰還系４０のゲインの調整範囲は、例えば、−６ｄＢ〜−１８ｄＢである。音響帰還系４０のゲインが−６ｄＢ以下であればハウリングは発生しにくい。イコライザ３４Ｌ、３４Ｒは、音響帰還系４０の周波数特性を平坦化するもので、自動で調整され、これによりハウリングはより発生しにくくなる。ＦＩＲフィルタ３６Ｌ、３６Ｒは、マイク収音信号の反射音を生成する。
【００１９】
アッテネータ３２Ｌ、３２Ｒおよびイコライザ３４Ｌ、３４Ｒの自動調整は、例えば演奏を行う前に、演奏者の調整指令に基づき行われる。すなわち、演奏者が自動調整の指令操作をすると、テスト音として例えばピンクノイズが主スピーカ１６Ｌ、１６Ｒから再生される。その再生音は、マイク２０Ｌ、２０Ｒで収音され、補助スピーカ１８Ｌ、１８Ｒで再生され、音響帰還系４０を介してマイク２０Ｌ、２０Ｒに帰還される。このとき、自動調整手段４１は音響帰還系４０のループゲインおよび周波数特性を測定し、音響帰還系４０の周波数特性を平坦化するようにイコライザ３４Ｌ、３４Ｒを自動調整し、音響帰還系４０のループゲインが例えば−１２ｄＢになるようにアッテネータ３２Ｌ、３２Ｒのゲインを自動調整する。この例では系統数が２であり、ループゲインが−１２ｄＢ程度であれば、ハウリングを防止することができる。イコライザ３４Ｌ、３４Ｒの特性は、次に自動調整が指令されるまで、該自動調整された特性に固定される。アッテネータ３２Ｌ、３２Ｒのゲインは、自動調整された値を中心として例えば±６ｄＢの範囲（音響帰還系４０のループゲインとしては−６ｄＢ〜−１８ｄＢの範囲）で演奏者が手動調整できる。
【００２０】
ＦＩＲフィルタ３６Ｌ、３６Ｒに設定される反射音特性（インパルス応答）の概要を図５に示す。自然楽器における楽器筐体の鳴りを表現するための反射音特性は、初期遅延時間が比較的短く（例えば、５〜３０ｍｓｅｃ）、継続時間が比較的短く（例えば、３００〜６００ｍｓｅｃ）、減衰の変化勾配が比較的急峻で、反射音間隔が比較的密である。
【００２１】
ＦＩＲフィルタ３６Ｌ、３６Ｒの具体例を説明する。ＦＩＲフィルタ３６Ｌ、３６Ｒは、図６に示すように、例えば２段構成のＦＩＲフィルタ３６Ｌ−１、３６Ｌ−２（３６Ｒ−１、３６Ｒ−２）で構成することができる。１段目のＦＩＲフィルタ３６Ｌ−１（３６Ｒ−１）は、反射音の減衰過程を決めるフィルタである。２段目のＦＩＲフィルタ３６Ｌ−２（３６Ｒ−２）は、反射音の音色を決めるフィルタである。ＦＩＲフィルタ３６Ｒ−１に設定される反射音パラメータのエンベロープの一例を図７に示す。図７において、実線は反射音のレベル（％）（１００％＝０ｄＢ）、点線は反射音のレベルの絶対値（ｄＢ）｛反射音のレベルをＬとすると、２０ｌｏｇ１０（｜Ｌ｜／１００）に相当する値｝である（図８、図１０、図１１における表記の意味もこれと同じ）。この反射音パラメータの初期遅延時間は５．８４ｍｓｅｃ、継続時間は４００ｍｓｅｃ以下である。ＦＩＲフィルタ３６Ｌ−１に設定される反射音パラメータも、ＦＩＲフィルタ３６Ｒ−１に設定される反射音パラメータに近いもので、初期遅延時間はＦＩＲフィルタ３６Ｒ−１の初期遅延時間に６〜８ｍｓｅｃ加えた値すなわち１１．８４〜１３．８４ｍｓｅｃ、継続時間は４００ｍｓｅｃ以下である。ＦＩＲフィルタ３６Ｌ−１の初期遅延時間をＦＩＲフィルタ３６Ｒ−１の初期遅延時間よりも６〜８ｍｓｅｃ長く設定することにより、マイク２０Ｒで収音された高音域を多く含む楽音が先に発音されてから、マイク２０Ｌで収音された低音域を多く含む楽音が６〜８ｍｓｅｃ遅れて発音されるので、聴感上グランドピアノ等の楽器筐体の鳴りをより自然に表現することができる。
【００２２】
ＦＩＲフィルタ３６Ｒ−２に設定される反射音パラメータのエンベロープの一例を図８に示す。ＦＩＲフィルタ３６Ｒ−２に設定される反射音パラメータは、初期遅延時間が０ｍｓｅｃ、継続時間がＦＩＲフィルタ３６Ｒ−１に設定される反射音パラメータの継続時間の１／２程度である。ＦＩＲフィルタ３６Ｌ−２に設定される反射音パラメータも、ＦＩＲフィルタ３６Ｒ−２に設定される反射音パラメータに近いもので、初期遅延時間が０ｍｓｅｃ、継続時間がＦＩＲフィルタ３６Ｌ−１に設定される反射音パラメータの継続時間の１／２程度である。
【００２３】
なお、ＦＩＲフィルタ３６Ｌ、３６Ｒに設定するインパルス応答を切り換えることにより、自然楽器における楽器筐体の鳴りを表現するのに代えて、音場の響きを表現することができる。音場の響きを表現する場合のＦＩＲフィルタ３６Ｌ、３６Ｒに設定される反射音特性（インパルス応答）の概要を図９に示す。音場の響きを表現するための反射音特性は、自然楽器における楽器筐体の鳴りを表現するための反射音特性（図５）に比べて、初期遅延時間が長く（例えば、３０〜６０ｍｓｅｃ）、継続時間が長く（例えば、６００〜３０００ｍｓｅｃ）、減衰の変化勾配が緩やかで、反射音間隔が粗である。
【００２４】
音場の響きを表現する場合の図６のＦＩＲフィルタ３６Ｌ−１、３６Ｌ−２（３６Ｒ−１、３６Ｒ−２）に設定する反射音パラメータについて説明する。ＦＩＲフィルタ３６Ｌ−１に設定される反射音パラメータのエンベロープの一例を図１０に示す。この反射音パラメータの初期遅延時間は３１．５ｍｓｅｃ、継続時間は約１０００ｍｓｅｃである。ＦＩＲフィルタ３６Ｒ−１に設定される反射音パラメータも、ＦＩＲフィルタ３６Ｌ−１に設定される反射音パラメータに近いもので、初期遅延時間は３１．５ｍｓｅｃ、継続時間は約１０００ｍｓｅｃである。ＦＩＲフィルタ３６Ｌ−２に設定される反射音パラメータのエンベロープの一例を図１１に示す。ＦＩＲフィルタ３６Ｌ−２に設定される反射音パラメータは、初期遅延時間が０ｍｓｅｃ、継続時間がＦＩＲフィルタ３６Ｌ−１に設定される反射音パラメータの継続時間の１／２程度である。ＦＩＲフィルタ３６Ｒ−２に設定される反射音パラメータも、ＦＩＲフィルタ３６Ｌ−２に設定される反射音パラメータに近いもので、初期遅延時間が０ｍｓｅｃ、継続時間がＦＩＲフィルタ３６Ｒ−１に設定される反射音パラメータの継続時間の１／２程度である。
【００２５】
このように反射音パラメータの切換機能を装備する場合は、メモリに各反射音パラメータデータを保存しておき、演奏者の選択操作に基づき、該当する反射音パラメータをメモリから読み出してＦＩＲフィルタに設定する。音場の響きを表現するモードでは、自然楽器における楽器筐体の鳴りを表現するモードに比べて、アッテネータ３２Ｌ、３２Ｒのゲインをより大きく設定できるようにする。
【００２６】
図１の回路では、必要に応じて点線に示す構成を付加することができる。各点線の構成について説明する。
（ａ）音場の響きを表現するモードにおいて、ヘッドアンプ３０Ｌ、３０Ｒとアッテネータ３２Ｌ、３２Ｒとの間に信号切換回路４２を配置し、比較的長い周期（例えば、使用する部屋の残響時間の１〜１／２倍程度の周期）で、信号経路（ヘッドアンプ３０Ｌ、３０Ｒとアッテネータ３２Ｌ、３２Ｒとの接続）を、出力レベルを一定に保って緩やかに切り換えることにより、ハウリングを防止する。
（ｂ）他の電子楽器またはマイクからのアンサンブル信号直接入力４４を、加算器４６Ｌ、４６Ｒでヘッドアンプ３０Ｌ、３０Ｒの出力に加算して、ミキシングする（両モードに適用可）。
（ｃ）各信号系統について、適当な箇所（例えば、収音信号切換回路４２とアッテネータ３２Ｌ，３２Ｒの間）にハイパスフィルタ４３Ｌ，４３Ｒを配置して、マイク収音信号に含まれる暗騒音（例えば６３Ｈｚ以下の音）を除去する（両モードに適用）。
（ｄ）各信号系統について、ＦＩＲフィルタ３６Ｌ、３６Ｒよりも後段側にローパスフィルタ４５Ｌ，４５Ｒを配置する。ローパスフィルタ４５Ｌ，４５Ｒの特性はモード切換に連動して切り換える。すなわち、自然楽器における楽器筐体の鳴りを表現するモードでは、例えば８ｋＨｚ〜１０ｋＨｚの間の減衰を調整することにより、自然楽器が保有している楽器筐体の鳴りの周波数特性を表現する。また、音場の響きを表現するモードでは、例えば２ｋＨｚ以上の高音域を抑えることにより、ホール等の音場における残響音の高音域の減衰（高音域は空気吸収により中音域よりも早く減衰する）を表現する。
（ｅ）ＦＩＲフィルタ３６Ｌに入力する前の信号をディレイ回路４７Ｌで所定時間遅延し、アッテネータ４９Ｌでレベル調整し、リバーブ回路５１Ｌで残響信号を生成し、加算器５３ＬでＦＩＲフィルタ３６Ｌの出力信号と加算する。同様に、ＦＩＲフィルタ３６Ｒに入力する前の信号をディレイ回路４７Ｒで所定時間遅延し、アッテネータ４９Ｒでレベル調整し、リバーブ回路５１Ｒで残響信号を生成し、加算器５３ＲでＦＩＲフィルタ３６Ｒの出力信号と加算する。ディレイ回路４７Ｌ，４７Ｒの遅延時間は、例えば５０ｍｓｅｃ以上に設定する。また、リバーブ回路５１Ｌ，５１ＲはＩＩＲ（巡回型）フィルタで構成する。これにより、音場の響きを表現するモードでは、ＦＩＲフィルタ３６Ｌ、３６Ｒに大規模な回路を使用することなく反射音数を増やして後期反射音を表現することができる。また、自然楽器における楽器筐体の鳴りを表現するモードにおいても、楽器筐体の鳴りを微細に表現するのに利用することができる。
【００２７】
この発明による電子ピアノにおける、スピーカとマイクの他の配置例を図１２に示す。前記図２の各部と共通する部分には同一の符号を用いる。電子ピアノ１０’は、アップライトピアノを模した外形を有し、筐体１２と鍵盤１４を具備している。筐体１２内には、左チャンネル用の主スピーカ１６Ｌ、補助スピーカ１８Ｌ、マイク２０Ｌと、右チャンネル用の主スピーカ１６Ｒ、補助スピーカ１８Ｒ、マイク２０Ｒが、放音面あるいは収音面をそれぞれ外部に露出させて収容配置されている。主スピーカ１６Ｌ、１６Ｒは、筐体１２の前面１２ａの、鍵盤１４よりも下方位置の左右に、その放音面を演奏者側に露出させて配置されている。補助スピーカ１８Ｌ、１８Ｒは、筐体１２の上面１２ｃの左右に、その放音面を上方に向けて配置されている。マイク２０Ｌ、２０Ｒは、筐体１２の前面１２ａの、鍵盤１４よりも下方位置の左右で、相対的に主スピーカ１６Ｌ、１６Ｒから近く補助スピーカ１８Ｌ、１８Ｒから遠い位置に、その収音面を演奏者側に露出させて配置されている。左側の主スピーカ１６Ｌとマイク２０Ｌの構成および相互の位置関係は前記図４で示したのと同じである。右側の主スピーカ１６Ｒとマイク２０Ｒの構成および相互の位置関係は、図４と左右対称である。
【００２８】
なお、主スピーカ１６Ｌ、１６Ｒおよびマイク２０Ｌ、２０Ｒを図２のように筐体１２の前面１２ａの、鍵盤１４よりも上方位置の左右に、その放音面を演奏者側に露出させて配置し、補助スピーカ１８Ｌ、１８Ｒを図４のように筐体１２の上面１２ｃの左右に、その放音面を上方に向けて配置したり、これとは逆に、主スピーカ１６Ｌ、１６Ｒおよびマイク２０Ｌ、２０Ｒを図４のように筐体１２の前面１２ａの、鍵盤１４よりも下方位置の左右に、その放音面を演奏者側に露出させて配置し、補助スピーカ１８Ｌ、１８Ｒを図２のように筐体１２の背面１２ｂの左右に、その放音面を演奏者と反対側に露出させて配置することもできる。
【００２９】
また、以上説明した実施の形態では、スピーカおよびマイクを電子ピアノ１０の筐体１２内に収容配置したが、筐体１２の外側の部分に固定または可動設置する（例えば、筐体１２の上面１２ｃ上に載置して設置する、鍵盤１４の下面１４ａから吊り下げて設置する等）こともできる。また、上記実施の形態では、系統数を２としたが、この発明は、単一系統あるいは３系統以上の再生系統が設けられている電子楽器にも適用することができる。また、上記実施の形態では、この発明を電子ピアノに適用した場合について説明したが、他の種類の電子鍵盤楽器、さらには、電子鍵盤楽器以外の電子楽器にも適用することができる。
【図面の簡単な説明】
【図１】  この発明の実施の形態を示す図で、図２の電子ピアノに内蔵されている回路のシステム構成ブロック図である。
【図２】  この発明の電子楽器におけるスピーカおよびマイクの配置例を示す図である。
【図３】  図１の音源発生回路２８から発生される演奏情報に応じた楽音信号の、音の高さに応じた左右チャンネルへの割り当てレベルを示す線図である。
【図４】  図２の電子楽器の正面左側のスピーカおよびマイクの配置を示す一部拡大正面図である。
【図５】  図１のＦＩＲフィルタ３６Ｌ、３６Ｒに設定される反射音特性（インパルス応答）の概要を示す図である。
【図６】  図１のＦＩＲフィルタ３６Ｌ、３６Ｒの構成例を示すブロック図である。
【図７】  図６のＦＩＲフィルタ３６Ｒ−１に設定される反射音パラメータのエンベロープの一例を示す図である。
【図８】  図６のＦＩＲフィルタ３６Ｒ−２に設定される反射音パラメータのエンベロープの一例を示す図である。
【図９】  音場の響きを表現する場合のＦＩＲフィルタ３６Ｌ、３６Ｒに設定される反射音特性（インパルス応答）の概要を示す図である。
【図１０】  音場の響きを表現するモードでＦＩＲフィルタ３６Ｌ−１に設定される反射音パラメータのエンベロープの一例を示す図である。
【図１１】  音場の響きを表現するモードでＦＩＲフィルタ３６Ｌ−２に設定される反射音パラメータのエンベロープの一例を示す図である。
【図１２】  この発明の電子楽器におけるスピーカおよびマイクの他の配置例を示す図である。
【符号の説明】
１０，１０’…電子ピアノ（電子楽器）、１２…筐体、１２ａ…筐体の前面、１２ｂ…筐体の背面、１６Ｌ，１６Ｒ…主スピーカ、１６Ｌ−１，１６Ｌ−２，１６Ｒ−１，１６Ｒ−２…スピーカユニット、１８Ｌ，１８Ｒ…補助スピーカ、２０Ｌ，２０Ｒ…マイク、３６Ｌ，３６Ｒ…ＦＩＲフィルタ（反射音生成手段）、４０…音響帰還系、
４１…自動調整手段。
【図１】
0003843841.tif 000002
【図２】
0003843841.tif 000003
【図３】
0003843841.tif 000004
【図４】
0003843841.tif 000005
【図５】
0003843841.tif 000006
【図６】
0003843841.tif 000007
【図７】
0003843841.tif 000008
【図８】
0003843841.tif 000009
【図９】
0003843841.tif 000010
【図１０】
0003843841.tif 000011
【図１１】
0003843841.tif 000012
【図１２】
0003843841.tif 000013